(57)【要約】【課題】本発明は、クーラー２の大きさなどを取り付けスペースによって限定されないようなクーラーの取り付け構造を提供することを目的とする。【解決手段】本発明に係るボックスのクーラー取り付け構造は、クーラー２はボックス１の近傍の任意の位置に設置し、ボックス１には通風口３を設け、通風口３にダクト４を接続し、クーラー２はダクト４を介してボックス１に取り付け、クーラーの取り付け作業を簡単にすると共に、ボックス周辺のスペースを有効利用することを可能とする。【選択図】　　　　図１
2004053126.tif 000002
【特許請求の範囲】
【請求項１】
ボックス内部の温度を調節するために用いられるクーラーの取り付け構造であって、前記クーラーは前記ボックス近傍の任意の位置に設置し、前記ボックスには通風口を設け、該通風口にダクトを接続し、前記クーラーは前記ダクトを介してボックスに取り付けることを特徴とするボックスのクーラー取り付け構造。
【請求項２】
前記クーラーの取り付け構造であって、前記ボックスには２カ所の通風口を設け、該通風口にはボックス外側よりフランジを差し込み、該フランジをボックス内側からフランジ固定具で固定すると共に、フランジにはクランプを用いてダクトを接続することを特徴とする請求項１に記載のクーラーの取り付け構造。
【発明の詳細な説明】
【０００１】
【発明の属する技術分野】
ボックス内部の温度を調節するために用いられるクーラーの取り付け構造に関する。
【０００２】
【従来の技術】
従来、図４に示すように、クーラー２１は、ボックス２２の天井面２２ａや側面２２ｂに直接取り付けていた。図５に示すように、クーラー２１の吹出口と吸入口用に長方形型の取り付け穴２３と、クーラー取り付け用の取り付け穴２４とを設け、クーラー２１をこれらの取り付け穴２３、２４に合わせて内側からねじで締め付け固定していた。
【０００３】
【発明が解決しようとする課題】
しかしながら、ボックスの内部に設置される機器のための配管２５等で、クーラー２１の取り付けスペースが限定されているため、大きな容量のクーラー２１では取り付けられない虞がある。また、クーラー２１を取り付けるための取り付け穴２３、２４が多く、加工の手間がかかっていた。また、特に長方形型の取り付け穴２３は大きく、寸法精度の高い加工が困難で、クーラー２１の取り付け作業に煩雑な手間がかかっていた。クーラー２１の取り付け作業は、クーラー本体を押さえながら、ボックス２２の外側と内側と両方での作業になるため、１人での作業が困難であった。
【０００４】
【課題を解決するための手段】
そこで本発明は、クーラーの大きさなどを取り付けスペースによって限定されないようなクーラーの取り付け構造を提供することを目的とし、その構造は、クーラーはボックスの近傍に設置し、ボックスには通風口を設け、通風口に前記ダクトを接続し、クーラーはダクトを介してボックスに取り付けることを特徴とする。
【０００５】
また、ボックスには２カ所の通風口を設け、通風口にはボックス外側よりフランジを差し込み、フランジをボックス内側からフランジ固定具で固定すると共に、フランジにはクランプを用いてダクトを接続することを特徴とする。
【０００６】
【発明の実施の形態】
本発明の請求項１に係るボックスのクーラーの取り付け構造は、クーラーをボックスに直接取り付けるのではなく、ボックス近傍の任意の位置に設置し、クーラーとボックスはダクトによって接続する。従来作業が煩雑であった穴加工やボックスへのクーラー取り付け作業が容易に行える。
【０００７】
また、本発明の請求項２に係るボックスのクーラー取り付け構造は、クーラーとボックスを接続しているダクトのボックスへの取り付け構造に関する。ボックスには通風口を設け、通風口にはボックス外側よりねじ部を有するフランジを差し込み、フランジのねじ部に対向するねじ溝を形成したフランジ固定具をボックス内側よりフランジにねじこみ固定する。ねじを締め付けることのよって径が小さくなるクランプを用いてフランジにダクトを接続する。
【０００８】
【実施例】
本発明に係るボックスのクーラー取り付け構造の実施例を図１〜図２の添付図面に基づいて説明する。
【０００９】
電気機器等を収納するボックス１の内部は、機器の動作により温度が変動しやすい。そこで、機器が正常に動作するようにボックス１内部の温度を一定にするため、ボックス１にクーラー２を取り付けることがある。クーラー２はボックス１の近傍任意の位置に設置する。ボックス１には通風口３を設け、この通風口３にダクト４を接続し、クーラー２はボックス１にダクト４を介して取り付ける。
【００１０】
本発明の請求項２に係るボックス１のクーラー取り付け構造は、ボックス１には吹出口と吸入口の二カ所の通風口３を設ける。クーラー２はボックス１の近傍任意の位置に設置する。ボックス１に設けられた通風口３にダクト４を接続し、クーラー２をボックス１にダクト４を介して取り付ける。
【００１１】
ダクト４のボックス１へ取り付けは、雄ねじ部５ａを有するフランジ５と、雌ねじ部６ａを有するフランジ固定具６と、ねじ７を締め付けることにより径が小さくなるクランプ８とを用いて行う。それぞれの通風口３には、ボックス１の外側よりフランジ５の雄ねじ部５ａを差し込み、雄ねじ部５ａに対向させてフランジ固定具６の雌ねじ部６ａをボックス１の内側からボックス１の面を挟み込むように固定させる。フランジ５にダクト４の端部を接続し、クランプ８でダクト４をフランジ４に締め付ける。
【００１２】
また、本発明に係るボックスのクーラー取り付け構造において、クーラーがボックス近傍の任意の位置に設置されるため、クーラーとボックス間の距離が長くなり冷却能力が低下する虞のある場合、図３に示すように、フランジ固定具９に固定穴１０を設け、ファン１１等を取り付け可能とし、強制的に冷風を循環させることもできる。
【００１３】
【発明の効果】
以上述べたように、本発明の請求項１に係るボックスのクーラー取り付け構造は、クーラーはボックス近傍の任意の位置に設置し、ボックスには通風口を設け、通風口に前記ダクトを接続し、クーラーはダクトを介してボックスに取り付けるため、従来、配管スペースを確保するために取り付けできなかったクーラーや、大型のクーラーも取り付け可能となる。また、逆にボックス周辺のスペースが有効に活用することができる。
【００１４】
また、本発明の請求項２に係るボックスのクーラー取り付け構造は、ボックスには２カ所の通風口を設け、通風口にはボックス外側よりフランジを差し込み、フランジをボックス内側からフランジ固定具で固定すると共に、フランジにはクランプを用いてダクトを接続するため、クーラーを取り付けるための穴加工数も減り、また、形状も丸形で容易に加工できるので作業性が向上する。また、ボックスにはダクトを取り付けるので、従来のクーラーをボックスに取り付ける作業に比べても、容易に行うことができる。
【図面の簡単な説明】
【図１】本発明に係るボックスのクーラー取り付け構造を示す斜視図である。
【図２】本発明の請求項２に係るボックスのクーラー取り付け構造を示す斜視図である。
【図３】本発明に係るボックスのクーラー取り付け構造の変形実施例を示す斜視図である。
【図４】従来技術におけるボックスのクーラー取り付け構造を示す斜視図である。
【図５】従来技術におけるボックスのクーラー取り付け構造におけるボックスの穴加工を示す正面図である。
【符号の説明】
１　　　ボックス
２　　　クーラー
３　　　通風口
４　　　ダクト
５　　　フランジ
５ａ　　雄ねじ部
６　　　フランジ固定具
６ａ　　雌ねじ部
７　　　ねじ
８　　　クランプ
９　　　フランジ固定具
１０　　固定穴
１１　　ファン
【図１】
2004053126.tif 000003
【図２】
2004053126.tif 000004
【図３】
2004053126.tif 000005
【図４】
2004053126.tif 000006
【図５】
2004053126.tif 000007